(57)【要約】【課題】短時間で注水可能であり、節水効果を持ち、給水間隔時間を延長可能にし、低コストで製作可能な園芸鉢を提供することを課題とする。【解決手段】上部に栽培部、中間部に空気層、下部に貯水タンク部を持ち、貯水タンク部から上部栽培部へ毛細管現象により給水を行う給水部材を持ち、開口部が栽培用土上端面より突出し、栽培部、空気層、仕切り板を貫通し、貯水タンク部へ繋がる注水通路を持ち、貯水タンク部の水位最高位置と同一高さに開口するドレンを持つ園芸鉢。【選択図】図２
2004041126.tif 000002
【特許請求の範囲】
【請求項１】
上部に栽培部（２）中間部に空気層（３）下部に貯水タンク部（４）を持ち、貯水タンク部（４）から上部栽培部（２）へ毛細管現象により給水する給水部材（７）を持ち、開口部が栽培用土上端面（２０）より突出し、栽培部（２）、空気層（３）、仕切り板（６）を貫通し、貯水タンク部（４）へ繋がる注水通路（５）を持ち、貯水タンク部（４）の水位最高位置（１１）と同一高さに開口するドレン（９）を持つことを特徴とする園芸鉢。
【請求項２】
貯水タンク部（４）の下部と連通し、貯水タンク部（４）の水位最高位置（１１）と同一高さに開口し、水位視認確認可能な透明又は半透明の部材で構成されている水位視認兼用ドレン（１２）を持つことを特徴とする請求項１記載の園芸鉢。
【請求項３】
栽培部（２）と空気層（３）と貯水タンク部（４）が一体、または栽培部（２）と空気層（３）が貯水タンク部（４）と別体、又は栽培部（２）が空気層（３）と貯水タンク部（４）と別体で構成され、注水と水位視認確認可能な大きさの開口部を持った注水、水位視認兼用ドレン（１６）を持つことを特徴とする請求項１記載の園芸鉢。
【発明の詳細な説明】
【０００１】
【発明の属する技術分野】
本発明は給水間隔時間を延長可能にした園芸鉢に関する物である。
【０００２】
【従来の技術】
従来の園芸鉢は図７に示すように鉢本体（１）と仕切り板（６）とドレン（９）で構成され栽培部（２）と水切り部（１９）にわかれている物である。
【０００３】
【発明が解決しようとする課題】
しかしながら、以上の従来技術によれば、植物の必要とする水分は栽培部（２）に蓄えられた水分のみであり、量が少なく天候、季節、栽培植物の種類等によるが、毎日又は一日おきに給水する必要が有り、必要給水量は不明確であり、通常は多めに給水し、過給水時は水切り部を経由して垂れ流しである。
【０００４】そこで、本発明は短時間で注水可能であり、節水効果を持ち、給水間隔時間を延長可能にし、低コストで製作可能な園芸鉢を提供することを課題とする。
【０００５】
【課題を解決するための手段】
本発明（請求項１に記載の第１発明）は、上部に栽培部（２）中間部に空気層（３）下部に貯水タンク部（４）を持ち、貯水タンク部（４）から上部栽培部（２）へ毛細管現象により給水を行う給水部材（７）を持ち、開口部が栽培用土上端面（２０）より突出し、栽培部（２）、空気層（３）、仕切り板（６）を貫通し、貯水タンク部（４）へ繋がる注水通路（５）を持ち、貯水タンク部（４）の水位最高位置（１１）と同一高さに開口するドレン（９）を持つ園芸鉢である。
【０００６】本発明（請求項２に記載の第２発明）は、貯水タンク部（４）の下部と連通し、貯水タンク部（４）の水位最高位置（１１）と同一高さに開口し、又水位視認確認可能な透明又は半透明の部材で構成されている水位視認兼用ドレン（１２）を持つことを特徴とする請求項１記載の園芸用鉢。
【０００７】本発明（請求項３に記載の第３発明）は、栽培部（２）と空気層（３）と貯水タンク部（４）が一体、又は栽培部（２）と空気層（３）が貯水タンク部（４）と別体、又は栽培部（２）が空気層（３）と貯水タンク（４）と別体で構成され、注水と水位視認確認可能な大きさの開口部を持った注水、水位視認兼用ドレン（１６）を持つことを特徴とする請求項１記載の園芸用鉢。
【０００８】
【発明の実施の形態】
発明の実施の形態を実施例にもとづき図面を参照して説明する。
【０００９】
第１発明の一実施形態を図１と図２に示す。本発明は、上部に栽培部（２）と中間部に空気層（３）及び下部に貯水タンク部（４）を設け、毛細管現象を持つ給水部材（７）で貯水タンク部（４）から栽培部（２）へ自動的に給水を行い、植物の必要とする水分を補給する。
【００１０】栽培部（２）は従来の園芸鉢と同じく仕切り板位置決め突起（８）で支えられた仕切り板（６）と鉢本体（１）で形成され、植物の栽培を行う。
【００１１】空気層（３）は仕切り板（６）とドレン（９）の位置で決まる貯水タンク部の水位最高位置（１１）で形成され、栽培部（２）と貯水タンク部（４）が連通し、植物の根が水没するのを防止する。
【００１２】貯水タンク部（４）は鉢本体（１）のドレン位置より下の部分で形成され、給水のための水を蓄え、液体肥料等を混合して使用も可能。
【００１３】注水通路（５）は開口部が栽培用土上端面（２０）より突出し、栽培部（２）、空気層（３）、仕切り板（６）を貫通し、貯水タンク部（４）へ繋がり、貯水タンク部（４）へ直接注水を可能にし、注水通路（５）は樹脂の成型部材でも既存の樹脂ホース等を裁断した物を使用しても良い。
【００１４】給水部材（７）は貯水タンク部（４）の最下部から空気層（３）、仕切り板（６）を貫通し、栽培部（２）に到達しており、毛細管現象により給水を行う。
【００１５】ドレン（９）は過注水時排水し、貯水タンク部（４）の水位最高位置（１１）に水位を保つ。
【００１６】雨等で栽培部（２）から水が浸入した場合は従来の園芸鉢と同様に仕切り板（６）に設けられた空孔（１０）から水が空気層（３）を経由して貯水タンク部（４）に滴下し、貯水タンク部（４）の水位最高位置（１１）を超えた時はドレン（９）から排水し、貯水タンク部（４）の水位最高位置（１１）に水位を保ち、栽培部（２）と貯水タンク部（４）が連通し、植物の根が水没するのを防止する。
【００１７】運搬時はドレン（９）からいったん排水し、軽くしてから移動させることも出来る。
【００１８】給水部材（７）は毛細管現象を持ち、植物、環境に害を与えない物で有れば使用可能で有り、例えばペーパータオル、ぼろきれ等も使用出来、植物の種類、数により自由に材質、数、多きさを変更して使用できる。
【００１９】本発明の製作等においては、素焼き、陶磁器、ガラス、樹脂、金属等の他に一般に利用されているものは全て利用可能である。
【００２０】第２発明の一実施形態を図３と図４に示す。本発明は水位を視認出来る水位視認兼用ドレン（１２）を持ち、水位視認兼用ドレン（１２）は貯水タンク部（４）の下部と連通し、貯水タンク部（４）の水位最高位置（１１）に開口しており、材質は水位が確認出来る透明又は半透明の樹脂の成型体及びビニールパイプ等を裁断、使用しても良く、貯水タンク部（４）の水位を特別な方法によらず確認でき、過注水時は排水し、貯水タンク部（４）の水位最高位置（１１）に水位を保つ、他の機能は前記発明１と同等で有る。
【００２１】第３発明の一実施形態を図５と図６に示す。本発明は栽培部（２）と空気層（３）を形成する上部鉢（１３）と貯水タンク部（４）を形成する下部鉢（１５）とからなり下部鉢（１５）には注水と水位視認確認可能な大きさの開口部を持った注水、水位視認兼用ドレン（１６）が一体で形成されている。
【００２２】上部鉢（１３）は上部鉢本体（１４）と仕切り板（６）で形成され、従来の園芸鉢と同様に植物の栽培を行う。
【００２３】下部鉢（１５）は下部鉢本体（１７）と注水、水位視認兼用ドレン（１６）が一体で形成されている。
【００２４】注水時は注水、水位視認兼用ドレン（１６）の開口部で水位を確認し、注水を行い、過注水時はドレン上端開口面（１８）から排水を行い、他の機能は前記発明１と同等で有る。
【００２５】
【発明の効果】
本発明は、以上説明したように構成されているので以下に記載されるような効果を奏する。
【００２６】本発明の第１発明によれば、大きな容量を持つ貯水タンク部の水を給水することにより、園芸鉢への給水間隔時間を大幅に延長可能。
【００２７】注水通路を持つため、短時間で注水が可能。
【００２８】従来園芸鉢に追加する部材は樹脂成型部材又は既存の部材を使用可能であり、低コストで有る。
【００２９】貯水タンク部から排水して軽量化したあと移動も可能で有り、移動が楽である。
【００３０】貯水タンク部の水に液体肥料等を混合しておけば、長期間効果を持続出来る。
【００３１】貯水タンク部の水位最高位置に開口するドレンを持ち、注水に必要な量を注水出来、節水効果がある。
【００３２】本発明の第２発明によれば、前記第１発明の効果に加え、水位視認兼用ドレンにより、容易に貯水タンク部の水位が確認出来、注水必要有無の判断ができる。
【００３３】本発明の第３発明によれば、前記第１発明と第２発明の効果に加え、水位視認兼用ドレンの大きな開口部により、より容易に注水、水位視認が出来、また上部鉢下部鉢が別体であれば、下部鉢の使い回しも出来る。
【００３４】
【図面の簡単な説明】
【図１】第１発明の一実施形態を示す上面視図。
【図２】図１のＡ−Ａ断面図。
【図３】第２発明の一実施形態を示す上面視図。
【図４】図３のＢ−Ｂ断面図。
【図５】第３発明の横断面図。
【図６】第３発明の下部鉢上面視図。
【図７】従来技術を示す横断面図。
【符号の説明】
１鉢本体
２栽培部
３空気層
４貯水タンク部
５注水通路
６仕切り板
７給水部材
８仕切り板位置決め突起
９ドレン
１０空孔
１１水位最高位置
１２水位視認兼用ドレン
１３上部鉢
１４上部鉢本体
１５下部鉢
１６注水、水位視認兼用ドレン
１７下部鉢本体
１８ドレン上端開口面
１９水切り部
２０栽培用土上端面
【図１】
2004041126.tif 000003
【図２】
2004041126.tif 000004
【図３】
2004041126.tif 000005
【図４】
2004041126.tif 000006
【図５】
2004041126.tif 000007
【図６】
2004041126.tif 000008
【図７】
2004041126.tif 000009